(57)【要約】【課題】一つの側面として、タブレット型のパーソナルコンピュータとして使用できるようにすると共に、他の電子装置に簡単に取り付けられるようにすることを目的とする。【解決手段】タブレット型パーソナルコンピュータ１は、タブレット型パーソナルコンピュータ本体１０と、枠体１４と、枠体１４をタブレット型パーソナルコンピュータ本体の側面５０に回転可能かつ任意の角度で静止可能に取り付けるヒンジ３０と、を備えている。【選択図】図２
2014182450.tif 000002
【特許請求の範囲】
【請求項１】
タブレット型パーソナルコンピュータ本体と、
枠体と、
前記枠体を前記タブレット型パーソナルコンピュータ本体の側面に回転可能かつ任意の角度で静止可能に取り付けるヒンジと、
を備えるタブレット型パーソナルコンピュータ。
【請求項２】
前記枠体に設けられた第１の取り付け部と、前記側面に設けられ、前記第１の取り付け部と合わさって前記枠体を前記側面に着脱可能に取り付ける第２の取り付け部と、
をさらに備える請求項１記載のタブレット型パーソナルコンピュータ。
【請求項３】
タブレット型パーソナルコンピュータ本体と、
枠体を前記タブレット型パーソナルコンピュータ本体の側面に回転可能かつ任意の角度で静止可能に取り付けるヒンジと、
を備えるタブレット型パーソナルコンピュータ。
【請求項４】
前記側面に設けられ、前記枠体に設けられた第１の取り付け部と合わさって前記枠体を前記側面に着脱可能に取り付ける第２の取り付け部をさらに備える請求項３記載のタブレット型パーソナルコンピュータ。
【請求項５】
請求項２記載のタブレット型パーソナルコンピュータと、
前記枠体にはめ込まれて前記タブレット型パーソナルコンピュータに取り付けられる拡張装置と、を備え、
前記拡張装置は、前記第１の取り付け部と合わさって前記枠体を前記拡張装置に着脱可能に取り付ける第３の取り付け部を有する電子装置。
【請求項６】
前記拡張装置は、前記タブレット型パーソナルコンピュータを前記ヒンジの周りに回転可能に保持する保持部をさらに備える請求項５７記載の電子装置。
【請求項７】
前記保持部は、前記拡張装置に、前記タブレット型パーソナルコンピュータを着脱可能に保持する請求項６記載の電子装置。
【請求項８】
タブレット型電子装置本体と、
枠体と、
前記枠体を前記タブレット型電子装置本体の側面に回転可能かつ任意の角度で静止可能に取り付けるヒンジと、
前記枠体に設けられた第１の取り付け部と、前記側面に設けられ、前記第１の取り付け部と合わさって前記枠体を前記側面に着脱可能に取り付ける第２の取り付け部と、
前記枠体に嵌め込まれて前記タブレット型電子装置本体に取り付けられる拡張装置と、
前記拡張装置に設けられ、前記第１の取り付け部と合わさって前記枠体を前記拡張装置に着脱可能に取り付ける第３の取り付け部と、
を備える電子装置。
【請求項９】
枠体と、
前記枠体の端部をタブレット型パーソナルコンピュータの側面に回転可能かつ任意の角度で静止可能に取り付けるヒンジと、
前記枠体に設けられ、前記側面に設けられた被取り付け部と合わさって前記枠体を前記側面に着脱可能に取り付ける取り付け部と、
を備えるタブレット型パーソナルコンピュータ用枠体部品。
【請求項１０】
枠体と、
タブレット型パーソナルコンピュータの側面に設けられたヒンジに前記枠体の端部を着脱可能に取り付ける取り付け部材と、
前記枠体に設けられ、前記側面に設けられた被取り付け部と合わさって前記枠体を前記側面に着脱可能に取り付ける取り付け部と、
を備えるタブレット型パーソナルコンピュータ用枠体部品。
【発明の詳細な説明】
【技術分野】
【０００１】
本願の開示する技術は、タブレット型パーソナルコンピュータ、電子装置およびタブレット型パーソナルコンピュータ用枠体部品に関する。
【背景技術】
【０００２】
タブレット型パーソナルコンピュータでは、そのタブレット構造から、入出力インターフェイスが制限される場合が多い。そのため、タブレット型パーソナルコンピュータを、他の電子装置に取り付ける構造が提案されている。
【先行技術文献】
【特許文献】
【０００３】
【特許文献１】特開２００５−１５８０１３号公報
【発明の概要】
【発明が解決しようとする課題】
【０００４】
タブレット型パーソナルコンピュータは、タブレット型のパーソナルコンピュータとして使用できると共に、他の電子装置に簡単に取り付けられる構造が好ましい。
【０００５】
本願の開示する技術は、一つの側面として、タブレット型のパーソナルコンピュータとして使用できるようにすると共に、他の電子装置に簡単に取り付けられるようにすることを目的とする。
【課題を解決するための手段】
【０００６】
上記目的を達成するために、本願の開示する技術の一つの側面によれば、タブレット型パーソナルコンピュータ本体と、枠体と、ヒンジと、を備えるタブレット型パーソナルコンピュータが提供される。ヒンジは、枠体をタブレット型パーソナルコンピュータ本体の側面に回転可能かつ任意の角度で静止可能に取り付けるヒンジである。
【発明の効果】
【０００７】
本願の開示する技術の一つの側面によれば、タブレット型のパーソナルコンピュータとして使用できると共に、他の電子装置に簡単に取り付けられることができる。
【図面の簡単な説明】
【０００８】
【図１】図１は、実施の形態のタブレット型パーソナルコンピュータを説明するための概略斜視図である。
【図２】図２は、実施の形態のタブレット型パーソナルコンピュータを説明するための概略斜視図である。
【図３】図３は、図２のＡ部の部分拡大概略斜視図である。
【図４】図４は、実施の形態のタブレット型パーソナルコンピュータを説明するための概略斜視図である。
【図５】図５は、実施の形態のタブレット型パーソナルコンピュータを説明するための概略斜視図である。
【図６】図６は、実施の形態のタブレット型パーソナルコンピュータを説明するための概略分解斜視図である。
【図７】図７は、図６の部分拡大概略分解斜視図である。
【図８】図８は、部分拡大概略斜視図であり、ヒンジおよび枠体を取り付けた状態を示す図である。
【図９】図９は、実施の形態における枠体の取り付け構造を説明するための概略分解斜視図である。
【図１０】図１０は、実施の形態のベース部を説明するための概略斜視図である。
【図１１】図１１は、実施の形態のベース部を説明するための概略斜視図である。
【図１２】図１２は、実施の形態のベース部を説明するための概略底面図である。
【図１３】図１３は、実施の形態のタブレット型パーソナルコンピュータの取り付け部材を説明するための概略平面図である。
【図１４】図１４は、実施の形態のタブレット型パーソナルコンピュータの取り付け部材を説明するための概略平面図である。
【図１５】図１５は、図１２のＢ部の部分拡大概略底面図である。
【図１６】図１６は、実施の形態の取り付け部材を説明するための、底面側から見た部分拡大概略斜視図である。
【図１７】図１７は、実施の形態のタブレット型パーソナルコンピュータをベース部に取り付ける前の状態を説明するための概略斜視図である。
【図１８】図１８は、図１７の部分拡大概略斜視図である。
【図１９】図１９は、図１７の部分拡大概略斜視図である。
【図２０】図２０は、実施の形態のタブレット型パーソナルコンピュータをベース部に取り付ける前の状態を説明するための概略斜視図である。
【図２１】図２１は、実施の形態のタブレット型パーソナルコンピュータをベース部に取り付けた後の状態を説明するための概略斜視図である。
【図２２】図２２は、実施の形態のタブレット型パーソナルコンピュータをベース部に取り付けた状態を説明するための概略斜視図である。
【図２３】図２３は、実施の形態のタブレット型パーソナルコンピュータをベース部に取り付けた状態を説明するための概略斜視図である。
【図２４】図２４は、実施の形態のタブレット型パーソナルコンピュータをベース部に取り付けた他の状態を説明するための概略斜視図である。
【図２５】図２５は、枠体の取り付け構造の変形例を説明するための概略分解斜視図である。
【図２６】図２６は、枠体の取り付け構造の他の変形例を説明するための概略分解斜視図である。
【図２７】図２７は、タブレット型パーソナルコンピュータの変形例を説明するための概略斜視図である。
【図２８】図２８は、タブレット型パーソナルコンピュータおよびベース部の変形例を説明するための概略斜視図であり、タブレット型パーソナルコンピュータをベース部に取り付ける前の状態を説明するための概略斜視図である。
【図２９】図２９は、タブレット型パーソナルコンピュータおよびベース部の変形例を説明するための概略斜視図であり、タブレット型パーソナルコンピュータをベース部に取り付けた後の状態を説明するための概略斜視図である。
【発明を実施するための形態】
【０００９】
次に、本願の開示する技術の好ましい実施の形態を図面を参照して説明する。
【００１０】
図１、２、４、６を参照すれば、好ましい実施の形態のタブレット型パーソナルコンピュータ１は、タブレット型（スレート型）パーソナルコンピュータ本体１０と、枠体１４と、ヒンジ３０とを備えている。
【００１１】
タブレット型パーソナルコンピュータ本体１０は、直方体の形状を有している。タブレット型パーソナルコンピュータ本体１０は、前面１９ａと、前面１９ａに対向する背面１９ｂと、側面５０とを有している。前面１９ａと背面１９ｂは平行である。側面５０は４つの側面５１、５２、５３、５９を有している。側面５１、５２、５３、５９は、前面１９ａと背面１９ｂに垂直である。側面５１と側面５３とは平行である。側面５２と側面５４とは平行である。側面５１、５３と側面５２、５９は垂直である。タブレット型パーソナルコンピュータ本体１０の側面５０には、ＵＳＢ（Universal Serial Bus）コネクタを接続する外部接続端子（図示せず）、イヤホン端子（図示せず）、メモリーカードスロット（図示せず）等が設けられている。
【００１２】
枠体１４は、枠部材２０、２１、２２を有している。枠体１４はタブレット型パーソナルコンピュータ本体１０の側面５０に沿う形状を有している。枠部材２０はタブレット型パーソナルコンピュータ本体１０の側面５３に沿っており、枠部材２１は側面５２に沿っており、枠部材２０は側面５３に沿っている。
【００１３】
ヒンジ３０によって、枠体１４はタブレット型パーソナルコンピュータ本体１０の側面５０に回転可能に取り付けられている。枠部材２２の枠部材２１とは反対側の端部２２ａは、ヒンジ３０によって、タブレット型パーソナルコンピュータ本体１０の側面５１の側面５９側の端部５１ａに回転可能に取り付けられている。枠部材２０の枠部材２１とは反対側の端部２０ａは、ヒンジ３０によって、タブレット型パーソナルコンピュータ本体１０の側面５３の側面５９側の端部５３ａに回転可能に取り付けられている。
【００１４】
枠体１４はタブレット型パーソナルコンピュータ本体１０に対して、前面１９ａ側（図２参照）および背面１９ｂ側（図４参照）のいずれの側にもヒンジ３０の周りに回転可能である。枠体１４はタブレット型パーソナルコンピュータ本体１０に対して、ヒンジ３０の周りに３６０度回転可能である。また、ヒンジ３０としてフリーストップヒンジ（摩擦ヒンジ）を使用しているので、タブレット型パーソナルコンピュータ本体１０に対して、枠体１４を任意の角度で静止させることができる。
【００１５】
枠体１４の枠部材２２の枠部材２１側の端部２２ｂ近傍には、スリット２６が設けられている。枠部材２０の枠部材２１側の端部２０ｂ近傍には、スリット２３が設けられている。枠部材２１には、スリット２４、２５が設けられている。
【００１６】
タブレット型パーソナルコンピュータ本体１０の側面５１の側面５２側の端部５１ｂ近傍には、突起５７が設けられている。突起５７は、スリット２６に対応して設けられている。タブレット型パーソナルコンピュータ本体１０の側面５３の側面５２側の端部５３ｂ近傍には、突起５４が設けられている（図２１参照）。突起５４は、スリット２３に対応して設けられている。タブレット型パーソナルコンピュータ本体１０の側面５２には、突起５５、５６が設けられている。突起５５、５６は、スリット２４、２５にそれぞれ対応して設けられている。
【００１７】
枠体１４が、タブレット型パーソナルコンピュータ本体１０に対して、ヒンジ３０の周りに回転され、突起５７がスリット２６に嵌め込まれ、突起５４がスリット２３に嵌め込まれ、突起５５、５６が、スリット２４、２５にそれぞれ嵌め込まれる。このように、突起５７、５４、５５、５６がスリット２６、２３、２４、２５と合わさって、枠体１４が、タブレット型パーソナルコンピュータ本体１０の側面５０に取り付けられる（図１参照）。枠体１４が、タブレット型パーソナルコンピュータ本体１０に対して、ヒンジ３０の周りに回転され、突起５７がスリット２６から取り外され、突起５４がスリット２３から取り外され、突起５５、５６が、スリット２４、２５から取り外される（図２〜４参照）。これにより、枠体１４が、タブレット型パーソナルコンピュータ本体１０の側面５０から取り外される。このように、スリット２３、２４、２５、２６は、突起５４、５５、５６、５７とそれぞれ合わさって、枠体１４を、タブレット型パーソナルコンピュータ本体１０の側面５０に着脱可能に取り付ける。スリット２３、２４、２５、２６は第１の取り付け部および取り付け部の一例であり、突起５４、５５、５６、５７は第２の取り付け部および被取り付け部の一例である。
【００１８】
図５を参照すれば、スリット２３、２４、２５、２６から突起５４、５５、５６、５７が取り外され、枠体１４をヒンジ３０の周りに回転した状態が示されている。ヒンジ３０としてフリーストップヒンジを使用しているので、タブレット型パーソナルコンピュータ本体１０に対して、枠体１４を任意の角度で静止させることができる。その結果、枠体１４を、タブレット型パーソナルコンピュータ本体１０を立たせるための支持部材として使用することができる。
【００１９】
タブレット型パーソナルコンピュータ本体１０の側面５０に枠体１４をヒンジ３０で取り付けるのに、枠体１４の端部２０ａ、２２ａをヒンジ３０で側面５０に取り付けている。従って、枠体１４をヒンジ３０の周りに回転した場合に、枠体１４の端部２０ａ、２２ａがタブレット型パーソナルコンピュータ本体１０の表示部１７側に突き出て、タブレット型パーソナルコンピュータ本体１０の操作者の操作の妨げになることを防止できる。
【００２０】
なお、図１を参照すれば、枠体１４をヒンジ３０の周りに回転して、突起５７、５４、５５、５６をスリット２６、２３、２４、２５にそれぞれ嵌め込んで、枠体１４が、タブレット型パーソナルコンピュータ本体１０の側面５０に取り付けられている。このようにすれば、タブレット型パーソナルコンピュータ本体１０の側面５０を枠体１４で覆うことになり、枠体１４を側面５０の装飾部材として使用することができる。
【００２１】
図６を参照すれば、タブレット型パーソナルコンピュータ本体１０では、液晶表示ユニット１６をフロントカバー１８と背面カバー１２とで挟み込んでいる。フロントカバー１８には、開口１８ａが設けられ、開口１８ａから、液晶表示ユニット１６の表示部１７を露出する。枠体１４が取り付けられるヒンジ３０は、ネジ３６で背面カバー１２に取り付けられている。ヒンジ３０は、フロントカバー１８にネジで取り付けてもよい。液晶表示ユニット１６と背面カバー１２との間には、ＣＰＵ（図示せず）、メモリ（図示せず）等を備えるマザーボード（図示せず）やバッテリー（図示せず）等が設けられている。タブレット型パーソナルコンピュータ本体１０は単独でパーソナルコンピュータとして機能する。
【００２２】
図６〜８を参照すれば、ヒンジ３０は、軸３２と、軸３２の周囲の管３１と、管３１に取り付けられた固定部材３４とを備えている。固定部材３４には、穴３５、３５が設けられている。背面カバー１２には、ネジ取り付け部材３７、３７が設けられている。ネジ取り付け部材３７、３７の内部には、ネジ部３８、３８が形成されている。ネジ３６により、固定部材３４をネジ取り付け部材３７に取り付けることにより、ヒンジ３０を背面カバー１２に取り付ける。
【００２３】
図６、９を参照すれば、ヒンジ３０の軸３２の先端部３２ａは、背面カバー１２の側面４０の半円状切欠き部４１およびフロントカバー１８の側面４２の半円状切欠き部４３内に設けられている。先端部３２ａは、背面カバー１２の側面４０およびフロントカバー１８の側面４２と面一になっている。
【００２４】
図９を参照すれば、軸３２には、断面正方形状の凹部９１が設けられている。枠部材２０の端部２０ａに断面六角形状の穴３９が設けられている。止め部材９４には、円盤状の基部３３の上に、断面六角形状の突出部９３が設けられ、突出部９３の上に、断面正方形状の突出部９２が設けられている。突出部９３を穴３９に嵌め込み、突出部９２を凹部９１に嵌め込むことにより、枠部材２０がヒンジ３０の軸３２と一緒に回転するように、枠部材２０をヒンジ３０の軸３２に固定する。なお、嵌め込みは、例えば、圧入で行う。枠部材２２の端部２２ａ（図６参照）をヒンジ３０の軸３２に固定する場合も、枠部材２０をヒンジ３０の軸３２に固定する場合と同様である。
【００２５】
図１０〜１２を参照すれば、タブレット型パーソナルコンピュータ本体１０を取り付けるベース部６０は、前面７０ａと、前面７０ａに対向する背面７３ａと、側面６１とを有している。前面７０ａと背面７３ａは平行である。前面７０ａは、フロントカバー７０、キーボード７１、タッチパッド７２等を備えている。背面７３ａは、背面カバー７３を備えている。側面６１は、４つの側面６２、６３、６４、６９を有している。側面６２と側面６４とは平行である。側面６３と側面６９とは平行である。側面６２、６４と側面６３、６９は垂直である。側面６１には、ＵＳＢ、ＬＡＮ（Local Area Network）等の外部インターフェイスコネクタ（図示せず）、電源供給用コネクタ（図示せず）等が設けられている。ベース部６０は、拡張装置の一例である。
【００２６】
ベース部６０の側面６２の側面６３側の端部６２ｂ近傍には、突起６５が設けられている。ベース部６０の側面６４の側面６３側の端部６４ｂ近傍には、突起６８が設けられている。ベース部６０の側面６３には、突起６６、６７が設けられている。タブレット型パーソナルコンピュータ本体１０の表示部１７をベース部６０に向けてタブレット型パーソナルコンピュータ本体１０をベース部６０上に搭載した場合には（図２１、２２参照）、突起６５は、枠体１４のスリット２３に対応する。突起６８は、枠体１４のスリット２６に対応し、突起６６、６７は、枠体１４のスリット２４、２５にそれぞれ対応する。タブレット型パーソナルコンピュータ本体１０の表示部１７をベース部６０とは反対側に向けてタブレット型パーソナルコンピュータ本体１０をベース部６０上に搭載した場合には（図２４参照）、突起６５は、枠体１４のスリット２６に対応する。突起６８は、枠体１４のスリット２３に対応し、突起６６、６７は、枠体１４のスリット２５、２４にそれぞれ対応する。
【００２７】
ベース部６０の側面６２の側面６９側の端部６２ａには、取り付け部材８０がベース部６０の前面７０ａから突出して設けられている。ベース部６０の側面６４の側面６９側の端部６４ａには、取り付け部材８１がベース部６０の前面７０ａから突出して設けられている。取り付け部材８１は、ベース部６０の側面６４に固定されている。
【００２８】
図１３〜１６を参照すれば、取り付け部材８０は、取り付け部材本体８４と、取り付け部材本体８４の移動をガイドするガイド部８７と、バネ９０とを備えている。取り付け部材本体８４は、取り付け部８６と挿入部８５とバネ止め８８とを備えている。取り付け部８６は挿入部８５の一端部に設けられている。側面６２の端部６２ａには、側面６２を貫通する貫通孔６２ｂ、６２ｃが設けられている。貫通孔６２ｃは貫通孔６２ｂの中央上部に貫通孔６２ｂと連通して設けられている。貫通孔６２ｃは、組み立て時にバネ止め８８を通すための孔である。ガイド部８７は背面カバー７３に取り付けられている。
【００２９】
挿入部８５は貫通孔６２ｂおよびガイド部８７に挿入され、ガイド部８７にガイドされて移動することができる。取り付け部８６は貫通孔６２ｂよりも大きく、取り付け部８６が側壁６２に当たると、挿入部８５の移動が規制される。背面カバー７３にはバネ止め９１が取り付けられている。バネ９０の一端はバネ止め９１に取り付けられ、バネ９０の多端は取り付け部材本体８４のバネ止め８８に取り付けられている。取り付け部８６は、ベース部６０の側面６２に向かってバネ９０により付勢され、取り付け部８６が側面６２に当接している。
【００３０】
次に、枠体１４がタブレット型パーソナルコンピュータ本体１０の側面５０に取り付けられたタブレット型パーソナルコンピュータ１を、ベース部６０に取り付ける方法について説明する。
【００３１】
図１７〜１９を参照すれば、取り付け部材８０は断面円形の穴８３を有し、取り付け部材８１は断面円形の穴８２を有している。指等で取り付け部材８０を移動させ、取り付け部材８０をベース部６０の側面６２から離す（図１４参照）。この状態で、枠体１４をヒンジ３０に取り付けている止め部材９４の円盤状の基部３３（図７〜図９参照）を取り付け部材８１の穴８２に嵌め込む。また、枠体１４をヒンジ３０に取り付けている止め部材９４の円盤状の基部３３を取り付け部材８０の穴８３に位置合わせした状態で、指等を取り付け部材８０から離す。これにより、取り付け部材８０がバネ９０（図１５、１６参照）により側面６２側に付勢されて、止め部材９４の円盤状の基部３３（図７〜図９参照）が取り付け部材８０の穴８３に嵌め込まれる。
【００３２】
このように、止め部材９４の円盤状の基部３３を取り付け部材８０の断面円形の穴８３および取り付け部材８１の断面円形の穴８２にそれぞれ嵌め込んでいる。その結果、ヒンジ３０をベース部６０に固定した状態で、枠体１４およびタブレット型パーソナルコンピュータ本体１０をヒンジ３０の周りにそれぞれ回転できる。取り付け部材８０は側面６２から離れる方向に移動でき、バネ９０により側面６２側に取り付け部材８０を付勢して、取り付け部材８０を側面６２に当接させられる。その結果、取り付け部材８０、８２によって、枠体１４が取り付けられたタブレット型パーソナルコンピュータ本体１０を備えるタブレット型パーソナルコンピュータ１を、ベース部６０に着脱可能に保持できる。
【００３３】
この状態では、枠体１４は、タブレット型パーソナルコンピュータ本体１０の側面５０に取り付けられている（図２０参照）ので、枠体１４を押し下げて、枠体１４を、タブレット型パーソナルコンピュータ本体１０に対して、ヒンジ３０の周りに下側に回転させる。これにより、タブレット型パーソナルコンピュータ本体１０の突起５４がスリット２３から取り外され、突起５７が枠体１４のスリット２６から取り外され、突起５５、５６が、スリット２４、２５からそれぞれ取り外される。次に、枠体１４をさらに押し下げて、枠体１４を、タブレット型パーソナルコンピュータ本体１０に対して、ヒンジ３０の周りにさらに下側に回転させる（図２１、２２参照）。これにより、ベース部６０の突起６５は、枠体１４のスリット２３に嵌め込まれ、突起６８は、枠体１４のスリット２６に嵌め込まれ、突起６６、６７は、枠体１４のスリット２４、２５にそれぞれ嵌め込まれる。これにより、枠体１４が、ベース部６０の側面６１に取り付けられ（図２１、２２参照）、ベース部６０は、枠体１４に嵌め込まれて、タブレット型パーソナルコンピュータ本体１０に取り付けられる。
【００３４】
このようにして、取り付け部材８０、８１により、タブレット型パーソナルコンピュータ本体１０を、ヒンジ３０の周りに回転可能にベース部６０に取り付け、突起６５〜６８およびスリット２３〜２６により、枠体１４をベース部６０に取り付ける。これにより、タブレット型パーソナルコンピュータ本体１０をヒンジ３０の周りに回転可能にベース部６０に取り付ける。取り付け部材８０、８１は、保持部の一例である。突起６５〜６８は第３の取り付け部の一例である。
【００３５】
タブレット型パーソナルコンピュータ本体１０をベース部６０から取り外すには、枠体１４を押し上げて、枠体１４を、タブレット型パーソナルコンピュータ本体１０に対して、ヒンジ３０の周りに上側に回転させる（図２０参照）。これにより、ベース部６０の突起６５は、枠体１４のスリット２３から取り外され、突起６８は、枠体１４のスリット２６から取り外され、突起６６、６７は、枠体１４のスリット２４、２５からそれぞれ取り外される。
【００３６】
次に、この状態で、取り付け部材８０をベース部６０の側面から離す方向に移動させ、止め部材９４の円盤状の基部３３（図７〜図９参照）を取り付け部材８０の穴８３から取り外す（図１９参照）。次に、タブレット型パーソナルコンピュータ本体１０を取り付け部材８０側に移動させて、止め部材９４の円盤状の基部３３（図７〜図９参照）を取り付け部材８１の穴８２から取り外す（図１８参照）。このようにして、タブレット型パーソナルコンピュータ本体１０をベース部６０から取り外す。
【００３７】
このように、ベース部６０の側面６１の突起６５、６８、６６、６７は、枠体１４のスリット２３、２６、２４、２５にそれぞれ嵌め込まれて、枠体１４が、ベース部６０の側面６１に取り付けられる。また、ベース部６０の側面６１の突起６５、６８、６６、６７は、枠体１４のスリット２３、２６、２４、２５からそれぞれ取り外されて、枠体１４が、ベース部６０の側面６１から取り外される。このように、枠体１４のスリット２３、２４、２５、２６は、ベース部６０の側面６１の突起５４、５５、５６、５７とそれぞれ合わさって、枠体１４を、ベース部６０の側面６１に着脱可能に取り付ける。
【００３８】
図２３を参照すれば、タブレット型パーソナルコンピュータ本体１０をヒンジ３０の周りに回転すれば、タブレット型パーソナルコンピュータ本体１０の前面１９ａの表示部１７およびベース部６０の前面７０ａのキーボード７１、タッチパッド７２等が露出する。ヒンジ３０にフリーストップヒンジを使用しているので、タブレット型パーソナルコンピュータ本体１０をベース部６０に対して任意の角度で静止させることができる。キーボード７１やタッチパッド７２等を使用して、タブレット型パーソナルコンピュータ本体１０に文章等を容易に入力できる。
【００３９】
タブレット型パーソナルコンピュータ本体１０の側面５０の端部５１ａ、端部５３ａにヒンジ３０によって枠体１４が取り付けられている。従って、ベース部６０を水平にしたまま、ベース部６０に取り付けられたタブレット型パーソナルコンピュータ本体１０をヒンジ３０の周りに回転できる。そして、タブレット型パーソナルコンピュータ本体１０の前面１９ａの表示部１７の全面をベース部６０上に露出することができる。
【００４０】
図２４を参照すれば、枠体１４がタブレット型パーソナルコンピュータ本体１０の側面５０に取り付けられたタブレット型パーソナルコンピュータ１が、表示部１７をベース部６０とは反対側に向けて（表示部１７を上側にして）ベース部６０に取り付けられている。このようにすれば、タブレット型パーソナルコンピュータ本体１０をベース部６０に取り付けた状態で、パーソナルコンピュータの操作者だけでなく、操作者以外の他者も表示部１７を容易に見ることができるようになる。
【００４１】
取り付け方法は、表示部１７を下側にした場合の取り付け方法と同じである。但し、この場合には、ベース部６０の突起部６５、６８、６６、６７は、枠体１４のスリット２６、２３、２５、２４にそれぞれ対応する。
【００４２】
タブレット型パーソナルコンピュータ本体１０では、Ａｎｄｒｏｉｄ（登録商標）などの携帯端末などで採用されているＯＳが起動する。タブレット型パーソナルコンピュータ本体１０をベース部６０に取り付けた状態でも、このＡｎｄｒｏｉｄ（登録商標）などの携帯端末などで採用されているＯＳが起動する。
【００４３】
ベース部６０に、ＣＰＵ（図示せず）、メモリ（図示せず）等を備えるマザーボード（図示せず）やバッテリー（図示せず）等が設けて、ベース部６０をＷｉｎｄｏｗｓ（登録商標）が起動するパーソナルコンピュータとして構成してもよい。この場合には、タブレット型パーソナルコンピュータ本体１０は、単独では、Ａｎｄｒｏｉｄ（登録商標）などの携帯端末などで採用されているＯＳが起動する。タブレット型パーソナルコンピュータ本体１０をベース部６０に取り付けた場合には、Ｗｉｎｄｏｗｓ（登録商標）が起動する。
【００４４】
タブレット型パーソナルコンピュータ本体１０とベース部６０との間にはケーブル接続はない。タブレット型パーソナルコンピュータ本体１０とベース部６０は、無線によるデータ転送と非接触方式での電源供給ができる機能をそれぞれ備えている。
【００４５】
図２５を参照して、枠体１４のタブレット型パーソナルコンピュータ本体１０への取り付け構造の一変形例を説明する。上述の実施の形態では、止め部材９４の断面正方形状の突出部９２を軸３２の断面正方形状の凹部９１に嵌め込み、止め部材９４の断面六角形状の突出部９３を枠部材２０の断面六角形状の穴３９に嵌め込んでいる（図９参照）。これに対して、一変形例では、ヒンジ３０の軸３２の先端部３２ａに設けられた断面六角形状の突出部９５に、枠部材２０の断面六角形状の穴９７を嵌め込んでいる点が上述の実施の形態と異なるが他の点は同様である。
【００４６】
より具体的には、ヒンジ３０の軸３２の先端部３２ａに断面六角形状の突出部９５が設けられ、突出部９５の軸３２とは反対側には、上述の実施の形態の止め部材９４の円盤状の基部３３（図７〜９参照）と同じ形状の円盤状の基部３３が設けられている。軸３２と突出部９５と基部３３は同軸に配置されている。突出部９５の断面積よりも軸３２と基部３３の断面積は大きく、軸３２の周辺部と基部３３の周辺部は、突出部９５から突き出ている。突出部９５の一端部（紙面下部）には、凹部９６が２箇所設けられている。枠部材２０の端部２０ａに断面六角形状の穴９７が設けられている。穴９７の一端部（紙面下部）９７ａは開放されている。穴９７の開放された一端部９７ａには、内側に突き出た凸部９８が２箇所設けられている。軸３２の先端部３２ａと基部３３との距離、すなわち突出部９５の厚さは枠部材２０の厚さとほぼ同じである。突出部９５に開放された一端部９７ａを介して枠部材２０の穴９７を嵌め、穴９７の開放された一端部９７ａの凸部９８を、突出部９５の凹部９６に嵌め込む。これにより、枠部材２０がヒンジ３０の軸３２と一緒に回転するように、枠部材２０をヒンジ３０の軸３２に固定する。なお、枠部材２２の端部２２ａ（図６参照）をヒンジ３０の軸３２に固定する場合も、枠部材２０をヒンジ３０の軸３２に固定する場合と同様である。枠部材２０をヒンジ３０の軸３２から取り外す場合には、上記の逆の動作を行う。突出部９５および穴９７は、取り付け部材の一例である。
【００４７】
図２６を参照して、枠体１４のタブレット型パーソナルコンピュータ本体１０への取り付け構造の他の変形例を説明する。上述の実施の形態では、止め部材９４の断面正方形状の突出部９２を軸３２の断面正方形状の凹部９１に嵌め込み、止め部材９４の断面六角形状の突出部９３を枠部材２０の断面六角形状の穴３９に嵌め込んでいる（図９参照）。これに対して、他の変形例では、ヒンジ３０の軸３２の先端部３２ａに設けられた断面六角形状の突出部１０１を、枠部材２０の断面六角形状の穴１０３に嵌め込んでいる。
【００４８】
より具体的には、ヒンジ３０の軸３２の先端部３２ａに断面六角形状の突出部１０１が設けられている。突出部１０１の内部にはネジ部１０２が設けられている。止め部材１０４には、円盤状の基部３３の上に、ネジ１０５が設けられている。枠部材２０の端部２０ａに断面六角形状の穴１０３が設けられている。突出部１０１を穴１０３に嵌め込み、ネジ１０５をネジ部１０２にネジ込むことにより、枠部材２０がヒンジ３０の軸３２と一緒に回転するように、枠部材２０をヒンジ３０の軸３２に固定する。枠部材２２の端部２２ａ（図６参照）をヒンジ３０の軸３２に固定する場合も、枠部材２０をヒンジ３０の軸３２に固定する場合と同様である。枠部材２０をヒンジ３０の軸３２から取り外す場合には、上記の逆の動作を行う。本変形例は他の点では上述の実施の形態と同様である。突出部１０１および止め部材１０４は、取り付け部材の一例である。
【００４９】
図２７〜２９を参照して、タブレット型パーソナルコンピュータ本体１０、枠体１４、およびベース部６０の変形例について説明する。上述の実施の形態では、枠体１４にスリット２３〜２６を設け、タブレット型パーソナルコンピュータ本体１０に突起５４〜５７を設け、ベース部６０に突起６５〜６８を設けている。スリット２３〜２６と突起５４〜５７を組み合わせて、枠体１４をタブレット型パーソナルコンピュータ本体１０に着脱可能に取り付け、スリット２３〜２６と突起６５〜６８を組み合わせて、枠体１４をベース部６０に着脱可能に取り付けている。これに対して、本変形例では、枠体１４に突起２３ａ〜２６ａを設け、タブレット型パーソナルコンピュータ本体１０にスリット５４ａ〜５７ａを設け、ベース部６０にスリット６５ａ、６６ａ等を設けている。スリット５４ａ〜５７ａと突起２３ａ〜２６ａを組み合わせて、枠体１４をタブレット型パーソナルコンピュータ本体１０に着脱可能に取り付ける。スリット６５ａ、６６ａ等と突起２３ａ、２４ａ等を組み合わせて、枠体１４をベース部６０に着脱可能に取り付ける。本変形例は他の点では上述の実施の形態と同様である。突起２３ａ〜２６ａは第１の取り付け部および取り付け部の一例であり、スリット５４ａ〜５７ａは第２の取り付け部および被取り付け部の一例であり、スリット６５ａ、６６ａは第３の取り付け部の一例である。
【００５０】
以上の説明したように、タブレット型パーソナルコンピュータ本体１０の側面５０に沿う形状の枠体１４を、ヒンジ３０によって、回転可能に側面５０に取り付けている。ヒンジ３０にフリーストップヒンジを使用しているので、枠体１４をタブレット型パーソナルコンピュータ本体１０に対して任意の角度で静止させることができる。従って、枠体１４を、タブレット型パーソナルコンピュータ本体１０を立たせて使用する際の支持部材として使用することができる。枠体１４は、タブレット型パーソナルコンピュータ本体１０の側面５０に沿う形状なので、側面５０に重ねることができる。従って、枠体１４は、タブレット型パーソナルコンピュータ本体１０を単独のタブレット型パーソナルコンピュータとして使用する際の邪魔とならない。さらに、タブレット型パーソナルコンピュータ本体１０の側面５０を枠体１４で覆うことにより、枠体１４を側面５０の装飾部材として使用することができる。枠体１４の端部２０ａ、２２ａをヒンジ３０でタブレット型パーソナルコンピュータ本体１０の側面５０に取り付けている。従って、枠体１４をヒンジ３０の周りに回転した場合に、枠体１４の端部２０ａ、２２ａがタブレット型パーソナルコンピュータ本体１０の表示部１７側に突き出て、タブレット型パーソナルコンピュータ本体１０の操作の妨げになることを防止できる。
【００５１】
枠体１４は、また、タブレット型パーソナルコンピュータ本体１０をベース部６０に取り付ける際の固定具として使用することができる。タブレット型パーソナルコンピュータ本体１０をベース部６０に取り付ける。ヒンジ３０にフリーストップヒンジを使用しているので、タブレット型パーソナルコンピュータ本体１０をベース部６０に対して任意の角度で静止させることができる。従って、タブレット型パーソナルコンピュータ本体１０をヒンジ３０の周りに回転して、ベース部６０に対してタブレット型パーソナルコンピュータ本体１０を所望の角度を持つようにすることができる。その結果、タブレット型パーソナルコンピュータ本体１０の表示部１７をベース部６０に対して所望の角度を持つようにすることができる。また、ベース部６０のキーボード７１やタッチパッド７２等を使用して、タブレット型パーソナルコンピュータ本体１０に文章等を容易に入力できる。枠体１４は、タブレット型パーソナルコンピュータ本体１０の側面５０の端部５１ａ、端部５３ａにヒンジ３０によって取り付けられている。従って、ベース部６０を水平にしたまま、ベース部６０に取り付けられたタブレット型パーソナルコンピュータ本体１０をヒンジ３０の周りに回転できる。そして、タブレット型パーソナルコンピュータ本体１０の表示部１７の全面をベース部６０上に露出することができる。
【００５２】
このように、タブレット型パーソナルコンピュータ本体１０に枠体１４を用いることによって、タブレット型パーソナルコンピュータの取扱性、利便性、装飾性を向上させることができる。また、枠体１４は、タブレット型パーソナルコンピュータ本体１０を立たせて使用する際の支持部材として使用することができ、タブレット型パーソナルコンピュータ本体１０をベース部６０に取り付ける際の固定具として使用することができる。このように、枠体１４は、支持部材や固定具として使用でき、その結果、部品点数を減少させて、安価な装置を実現できる。
【００５３】
枠体１４にスリット２６、２３、２４、２５が設けられ、タブレット型パーソナルコンピュータ本体１０の側面５０にスリット２６、２３、２４、２５とそれぞれ対応して突起５７、５４、５５、５６が設けられている。従って、スリット２６、２３、２４、２５は、突起５７、５４、５５、５６と合わさって、枠体１４をタブレット型パーソナルコンピュータ本体１０の側面５０に着脱可能に取り付けることができる。また、枠体１４のこれらのスリット２３、２６、２４、２５とそれぞれ対応して、ベース部６０の側面６１に突起６５、６８、６６、６７が設けられている。従って、スリット２６、２３、２４、２５は、突起５７、５４、５５、５６と合わさって、枠体１４をベース部６０の側面５０に着脱可能に取り付けることができる。なお、上述の変形例のように、枠体１４に突起２３ａ〜２６ａを設け、タブレット型パーソナルコンピュータ本体１０にスリット５４ａ〜５７ａを設け、ベース部６０にスリット６５ａ、６６ａ等を設けてもよい（図３２〜３５を参照）。スリット５４ａ〜５７ａと突起２３ａ〜２６ａを組み合わせて、枠体１４をタブレット型パーソナルコンピュータ本体１０に着脱可能に取り付ける。スリット６５ａ、６６ａと突起２３ａ、２４ａ等を組み合わせて、枠体１４をベース部６０に着脱可能に取り付ける。
【００５４】
取り付け部材８０、８１を設けることにより、枠体１４を取り付けたタブレット型パーソナルコンピュータ本体１０を、ヒンジ３０の周りに回転可能にベース部６０に取り付けることができる。その結果、ヒンジ３０をベース部６０に固定した状態で、枠体１４およびタブレット型パーソナルコンピュータ本体１０をヒンジ３０の周りにそれぞれ回転できる。また、取り付け部材８０、８２によって、枠体１４が取り付けられたタブレット型パーソナルコンピュータ本体１０を備えるタブレット型パーソナルコンピュータ１を、ベース部６０に着脱可能に保持できる。
【００５５】
以上の本願の開示する技術の好ましい実施の形態および変形例に関し、さらに以下の付記を開示する。
【００５６】
（付記１）
タブレット型パーソナルコンピュータ本体と、
枠体と、
前記枠体を前記タブレット型パーソナルコンピュータ本体の側面に回転可能かつ任意の角度で静止可能に取り付けるヒンジと、
を備えるタブレット型パーソナルコンピュータ。
（付記２）
前記枠体に設けられた第１の取り付け部と、前記側面に設けられ、前記第１の取り付け部と合わさって前記枠体枠体を前記側面に着脱可能に取り付ける第２の取り付け部と、
をさらに備える付記１記載のタブレット型パーソナルコンピュータ。
（付記３）
タブレット型パーソナルコンピュータ本体と、
枠体を前記タブレット型パーソナルコンピュータ本体の側面に回転可能かつ任意の角度で静止可能に取り付けるヒンジと、
を備えるタブレット型パーソナルコンピュータ。
（付記４）
前記側面に設けられ、前記枠体に設けられた第１の取り付け部と合わさって前記枠体を前記側面に着脱可能に取り付ける第２の取り付け部をさらに備える付記３記載のタブレット型パーソナルコンピュータ。
（付記５）
前記ヒンジは、前記枠体の端部を前記側面に取り付ける付記１〜付記４のいずれかに記載のタブレット型パーソナルコンピュータ。
（付記６）
前記ヒンジは、前記側面の端部に取り付けられている付記１〜付記５のいずれかに記載のタブレット型パーソナルコンピュータ。
（付記７）
前記ヒンジは、フリーストップヒンジである付記１〜付記６のいずれかに記載のタブレット型パーソナルコンピュータ。
（付記８）
第１の取り付け部はスリットおよび突起の一方であり、第２の取り付け部はスリットおよび突起の他方である付記２または４記載のタブレット型パーソナルコンピュータ。
（付記９）
付記２記載のタブレット型パーソナルコンピュータと、
前記枠体にはめ込まれて前記タブレット型パーソナルコンピュータに取り付けられる拡張装置と、を備え、
前記拡張装置は、前記第１の取り付け部と合わさって前記枠体を前記拡張装置に着脱可能に取り付ける第３の取り付け部を有する電子装置。
（付記１０）
第１の取り付け部はスリットおよび突起の一方であり、第３の取り付け部はスリットおよび突起の他方である付記９記載の電子装置。
（付記１１）
前記拡張装置は、前記タブレット型パーソナルコンピュータを前記ヒンジの周りに回転可能に保持する保持部をさらに備える付記９または付記１０記載の電子装置。
（付記１２）
前記保持部は、前記拡張装置に、前記タブレット型パーソナルコンピュータを着脱可能に保持する付記９〜付記１１のいずれかに記載の電子装置。
（付記１３）
タブレット型電子装置本体と、
枠体と、
前記枠体を前記タブレット型電子装置本体の側面に回転可能かつ任意の角度で静止可能に取り付けるヒンジと、
前記枠体に設けられた第１の取り付け部と、前記側面に設けられ、前記第１の取り付け部と合わさって前記枠体を前記側面に着脱可能に取り付ける第２の取り付け部と、
前記枠体に嵌め込まれて前記タブレット型電子装置本体に取り付けられる拡張装置と、
前記拡張装置に設けられ、前記第１の取り付け部と合わさって前記枠体枠体を前記拡張装置に着脱可能に取り付ける第３の取り付け部と、
を備える電子装置。
（付記１４）
枠体と、
前記枠体の端部を前記側面に回転可能かつ任意の角度で静止可能に取り付けるヒンジと、
前記枠体に設けられ、前記側面に設けられた被取り付け部と合わさって前記枠体本体を前記側面に着脱可能に取り付ける取り付け部と、
を備えるタブレット型パーソナルコンピュータ用枠体部品。
（付記１５）
枠体と、
タブレット型パーソナルコンピュータの側面に設けられたヒンジに前記枠体の端部を着脱可能に取り付ける取り付け部材と、
前記枠体に設けられ、前記側面に設けられた被取り付け部と合わさって前記枠体を前記側面に着脱可能に取り付ける取り付け部と、
を備えるタブレット型パーソナルコンピュータ用枠体部品。
【００５７】
以上、本願の開示する技術の典型的な実施の形態を説明してきたが、本願の開示する技術はそれらの実施の形態に限定されない。従って、本発明の範囲は、次の特許請求の範囲によってのみ限定されるものである。
【符号の説明】
【００５８】
１    タブレット型パーソナルコンピュータ
１０  タブレット型パーソナルコンピュータ本体
１４  枠体
２０ａ、２２ａ  端部
２３〜２６、５４ａ〜５７ａ、６５ａ、６６ａ  スリット
３０  ヒンジ
５０  側面
５１ａ、５３ａ  端部
５４〜５７、６５〜６８、２３ａ〜２６ａ  突起
６０  ベース部
８０、８１  取り付け部材
９５  突出部
９７  穴
１０１  突出部
１０４  止め部材
【図１】
2014182450.tif 000003
【図２】
2014182450.tif 000004
【図３】
2014182450.tif 000005
【図４】
2014182450.tif 000006
【図５】
2014182450.tif 000007
【図６】
2014182450.tif 000008
【図７】
2014182450.tif 000009
【図８】
2014182450.tif 000010
【図９】
2014182450.tif 000011
【図１０】
2014182450.tif 000012
【図１１】
2014182450.tif 000013
【図１２】
2014182450.tif 000014
【図１３】
2014182450.tif 000015
【図１４】
2014182450.tif 000016
【図１５】
2014182450.tif 000017
【図１６】
2014182450.tif 000018
【図１７】
2014182450.tif 000019
【図１８】
2014182450.tif 000020
【図１９】
2014182450.tif 000021
【図２０】
2014182450.tif 000022
【図２１】
2014182450.tif 000023
【図２２】
2014182450.tif 000024
【図２３】
2014182450.tif 000025
【図２４】
2014182450.tif 000026
【図２５】
2014182450.tif 000027
【図２６】
2014182450.tif 000028
【図２７】
2014182450.tif 000029
【図２８】
2014182450.tif 000030
【図２９】
2014182450.tif 000031